(57)【要約】【課題】既存のネットワーク、サーバを用いて複数の表示装置による電子看板を実現する。【解決手段】コンテンツの表示装置として通信端末１０２を用いる。複数の通信端末１０２のひとつは、複数の通信端末１０２に表示されるコンテンツを制御するための表示制御情報と、制御対象となる通信端末の配置位置情報とを入力し、ＳＭＳサーバ１０４に送信する。ＳＭＳサーバ１０４は、複数の通信端末１０２が配置された配置位置に応じた配置位置情報と、通信端末の電話番号とが対応して記憶される接続先情報記憶領域６００を有する。ＳＭＳサーバ１０４は、配置位置情報に基づき接続先情報記憶領域を参照して対応するひとつ又は複数の電話番号を取得する。また、表示制御情報を含むショートメッセージを作成し、取得された電話番号を宛先として通信端末に送信する。通信端末は、受信されたショートメッセージ内の表示制御情報に従いコンテンツの表示を制御する。【選択図】図１
2011101150.tif 000002
【特許請求の範囲】
【請求項１】
コンテンツを表示する複数の通信端末と、移動体通信網を介したメッセージサービスを該通信端末に提供するメッセージサーバを用いた電子看板システムであって、
前記メッセージサーバは、前記通信端末が配置された配置位置に応じた配置位置情報と、前記通信端末の電話番号又はアドレス情報とが対応して記憶される接続先情報記憶領域を有し、
前記複数の通信端末のひとつは、該複数の通信端末に表示されるコンテンツを制御するための表示制御情報と、制御対象となる通信端末の配置位置情報とを含む制御情報を入力し、該制御情報を前記メッセージサーバに送信し、
前記メッセージサーバは、受信された制御情報内の配置位置情報に基づき前記接続先情報記憶領域を参照して対応する電話番号又はアドレス情報をひとつ又は複数取得し、
受信された制御情報内の表示制御情報を含むメッセージを作成し、
該メッセージを、取得された電話番号又はアドレス情報を宛先として前記通信端末に送信し、
前記通信端末は、受信されたメッセージに含まれる表示制御情報に従い、予め記憶されたコンテンツの表示を制御する前記電子看板システム。
【請求項２】
前記メッセージサーバは、ショートメッセージサービスを提供するサーバであることを特徴とする請求項１に記載の電子看板システム。
【請求項３】
前記メッセージサーバは、マルチメディアメッセージングサービスを提供するサーバであることを特徴とする請求項１に記載の電子看板システム。
【請求項４】
前記表示制御情報は、コンテンツの表示開始時刻と表示終了時刻とを含む請求項１に記載の電子看板システム。
【請求項５】
前記配置位置情報は、前記複数の通信端末が設置される場所情報と、該場所における前記通信端末の配置位置又は配列位置を特定する配列情報とを含む請求項１に記載の電子看板システム。
【請求項６】
前記複数の通信端末はそれぞれ、内蔵時計の時刻がＧＰＳ同期される請求項１に記載の電子看板システム。
【請求項７】
前記通信端末は、
接続先サイトから取得した映像データを記憶する映像データ記憶部と、
該映像データを表示するための表示部と、
映像データに対応する表示制御情報が記憶される表示制御情報記憶部と、
表示制御情報に基づき、対応する映像データを前記映像データ記憶部から読み出して前記表示部に出力する演算装置と
を有する請求項１に記載の電子看板システム。
【請求項８】
複数の表示端末を用いてコンテンツを表示する電子看板システムにおける画像表示制御方法であって、
コンテンツを表示する前記複数の表示端末として複数の通信端末を用い、
複数の通信端末のひとつが、該複数の通信端末に表示されるコンテンツを制御するための表示制御情報と、制御対象となる通信端末の配置位置情報とを含む制御情報を入力し、該制御情報を、移動体通信網を介したメッセージサービスを提供するメッセージサーバに送信するステップと、
メッセージサーバが、受信された制御情報内の配置位置情報に基づき、前記通信端末が配置された配置位置に応じた配置位置情報と、前記通信端末の電話番号又はアドレス情報とが対応して記憶される接続先情報記憶領域を参照して、対応する電話番号又はアドレス情報をひとつ又は複数取得するステップと、
受信された制御情報内の表示制御情報を含むメッセージを作成するステップと、
該メッセージを、取得された電話番号又はアドレス情報を宛先として通信端末に送信するステップと、
通信端末が、受信されたメッセージに含まれる表示制御情報に従い、予め記憶されたコンテンツの表示を制御するステップと
を含む前記画像表示制御方法。
【発明の詳細な説明】
【技術分野】
【０００１】
本発明は、電子看板システム及び画像表示制御方法に係り、主に電子看板（以下、デジタルサイネージと称す）を始めとする、映像配信システムに関するものである。
【背景技術】
【０００２】
デジタル技術の発展に伴い、従来のネオン管等の野外電子広告からパーソナルコンピューターと液晶若しくはプラズマの薄型表示端末との組み合わせでより複雑な広告表示が可能なデジタルサイネージへの移行が始まっている。しかし、複数の表示端末を用いたより複雑な広告表示に関する制御方法としては、単なる端末間の同期をとるだけの制御方法が多い（例えば、特許文献１参照）。
【先行技術文献】
【特許文献】
【０００３】
【特許文献１】特開２００８−２５２４２２号公報
【発明の概要】
【発明が解決しようとする課題】
【０００４】
上述のデジタルサイネージ装置では、通常全体の同期及びコンテンツ表示を制御するマスター機と、マスター機からの制御指示に対して追従するスレーブ機の組み合わせによる画面制御方式が主流である。
この制御方法だとマスター機に故障が発生した場合、その影響がシステム全体に波及する為、最悪の場合はシステム全体の停止を招く事等の課題がある。
また、同期を取る手段としては、時刻同期型の同期手段が多く、複数の表示端末が端末間で時刻同期を行うことによって、表示端末上の表示画面にコンテンツを同期再生する。例えば、コンテンツ毎に設定された再生開始時刻になると、該当する表示端末が同時にコンテンツを再生するように構成される。しかし、表示端末には汎用的なパーソナルコンピューター(以下、ＰＣと略)を利用している場合、そのＰＣが有する内部時計の精度に同期精度も依存され、精度の高い同期再生を実現することが出来ない課題が生じる。その課題を回避する為に標準的なオペレーティングシステム（ＵＮＩＸ（登録商標）、ＭＳ−Ｗｉｎｄｏｗｓ（登録商標）等）に組み込まれているＮＴＰ（Ｎｅｔｗｏｒｋ  Ｔｉｍｅ  Ｐｒｏｔｏｃｏｌ）クライアント等の汎用的な時刻同期技術を使用して時刻同期合わせをする方法をあるが過度に時刻がずれている場合、補正完了までに時間が掛かり過ぎてしまう課題がある。
本発明は、以上の点に鑑み、既存のネットワーク、サーバーを用いて複数の表示装置による電子看板システム及び画像表示制御方法を実現することを目的とする。本発明は、複数のＰＣ等を接続するネットワークを構築し、制御装置を設置する必要がなく、導入作業を省力化することが可能な電子看板システム及び画像表示制御方法を提供することを目的のひとつとする。
本発明では、複数の表示端末の各々がマスター機とスレーブ機の機能を有する事でシステム障害時の影響を最小限に留める事を目的の一つとする。また、本発明では前述の機能を有する事でより表現力の高い表示効果を得られるデジタルサイネージ装置を実現する事を目的の一つとする。本発明では、移動体通信網で利用しているＧｌｏｂａｌ  Ｐｏｓｉｔｉｏｎｉｎｇ  Ｓｙｓｔｅｍ衛星(以下、ＧＰＳ)からの時刻信号と移動体通信網携帯端末(以下、携帯端末と略)が持つ時刻同期機能を利用する事でＮＴＰクライアント等の汎用的な時刻同期よりも簡便で、かつ、高精度な時刻同期を実現する事で精度の高い同期再生を実現する事を目的の一つとする。
【課題を解決するための手段】
【０００５】
上記課題を解決するにあたり、本発明では表示端末に携帯端末を採用する。更に携帯端末内部に内蔵された時刻同期機能およびＳｈｏｒｔ  Ｍｅｓｓａｇｅ  Ｓｅｒｖｉｃｅサーバー(ショートメッセージサーバー、以下、ＳＭＳサーバーと略)と連携してマスター機とスレーブ機の表示制御機能を有するプログラムと表示開始及び停止時間を始めとする各種制御情報が記載されたＳＭＳメッセージ本文を送受信する機能及び記憶する機能を内蔵する。
携帯端末では、電源投入、位置登録、通話開始又はメール送受信等の通信アクセス開始時にＧＰＳからの時刻信号を移動体通信網経由で受信して、携帯端末の内蔵時計の時刻をＧＰＳ時刻と同期させている。これは全ての携帯端末で行われており、その結果携帯端末間同士の時刻は極めて高精度での同期が保証されている。内蔵されているプログラムは、受信したＳＭＳメッセージ本文の内容を解釈して表示に関する制御情報を取得して内蔵時計の時刻に基づいて表示制御を行う。
更に携帯端末では表示制御情報が記載されたＳＭＳメッセージをＳＭＳサーバーに送信及びＳＭＳサーバーから受信する事が出来るが、本機能及び通信機能に関しては携帯端末に有している標準機能であるので、詳細な説明は省略する。
本発明のＳＭＳサーバーは、本来具備するＳＭＳ機能に加えて、デジタルサイネージに使用する携帯端末の電話番号、所在位置、所在位置での詳細位置を示す端末番号を記憶する接続先情報テーブルを有する。また、ＳＭＳサーバーは、移動体通信網上に設置された複数の携帯端末とのＳＭＳメッセージ伝送を迅速、かつ、前記複数の携帯端末の情報を収集する機能及びその情報を記録する領域を有する。
また、本発明は、上述のＳＭＳサーバーを用いて移動体通信網上で接続された前記複数携帯端末との接続、情報伝達及び表示制御方法であって、前記ＳＭＳサーバーが登録した接続先情報テーブルの情報に基づいて前記複数携帯端末で表示されるコンテンツの表現制御情報を同報送信及び送信する事で複数の画面上で高機能な表示をする事が実現可能となる。
【０００６】
本発明の第１の解決手段によると、
コンテンツを表示する複数の通信端末と、移動体通信網を介したメッセージサービスを該通信端末に提供するメッセージサーバを用いた電子看板システムであって、
前記メッセージサーバは、前記通信端末が配置された配置位置に応じた配置位置情報と、前記通信端末の電話番号又はアドレス情報とが対応して記憶される接続先情報記憶領域を有し、
前記複数の通信端末のひとつは、該複数の通信端末に表示されるコンテンツを制御するための表示制御情報と、制御対象となる通信端末の配置位置情報とを含む制御情報を入力し、該制御情報を前記メッセージサーバに送信し、
前記メッセージサーバは、受信された制御情報内の配置位置情報に基づき前記接続先情報記憶領域を参照して対応する電話番号又はアドレス情報をひとつ又は複数取得し、
受信された制御情報内の表示制御情報を含むメッセージを作成し、
該メッセージを、取得された電話番号又はアドレス情報を宛先として前記通信端末に送信し、
前記通信端末は、受信されたメッセージに含まれる表示制御情報に従い、予め記憶されたコンテンツの表示を制御する前記電子看板システムが提供される。
これにより、既存のネットワーク、サーバーを用いて複数の表示装置による電子看板システムを実現することができる。また、複数のＰＣ等を接続するネットワークを構築し、制御装置を設置する必要がなく、導入作業を省力化することが可能な電子看板システムを提供することができる。さらに、複数の各々の携帯端末がマスター機機能を具備する事になり、マスター機が起因によるシステム障害でデジタルサイネージシステム自体の全面停止を回避する事が出来る。
上述のメッセージサーバは、ショートメッセージサービスを提供するサーバを用いることができる。
これにより、登録しておいた複数携帯端末から選択した携帯端末へのコンテンツ表示に関する制御情報をＳＭＳメッセージを通じて提供することが出来る。また、ＳＭＳメッセージはシグナリングチャネルを用いて通信されるため、複数の携帯端末への制御情報の送信が、データ遅延が比較的少なく実現できる。
また、上述の電子看板システムにおいて、複数の通信端末はそれぞれ、内蔵時計の時刻がＧＰＳ同期される。
本発明は、各々の携帯端末が移動体通信網を通じてＧＰＳ時刻信号を受信して時刻補正を行う事により、携帯端末間同士の時刻同期が保証され、その時刻を基本時刻として各々の携帯端末が保持しているコンテンツ表示制御情報に従ってコンテンツを表示する事で複数の表示画面で同期の取れたコンテンツ表示が可能となる。
本発明の第２の解決手段によると、
複数の表示端末を用いてコンテンツを表示する電子看板システムにおける画像表示制御方法であって、
コンテンツを表示する前記複数の表示端末として複数の通信端末を用い、
複数の通信端末のひとつが、該複数の通信端末に表示されるコンテンツを制御するための表示制御情報と、制御対象となる通信端末の配置位置情報とを含む制御情報を入力し、該制御情報を、移動体通信網を介したメッセージサービスを提供するメッセージサーバに送信するステップと、
メッセージサーバが、受信された制御情報内の配置位置情報に基づき、前記通信端末が配置された配置位置に応じた配置位置情報と、前記通信端末の電話番号又はアドレス情報とが対応して記憶される接続先情報記憶領域を参照して、対応する電話番号又はアドレス情報をひとつ又は複数取得するステップと、
受信された制御情報内の表示制御情報を含むメッセージを作成するステップと、
該メッセージを、取得された電話番号又はアドレス情報を宛先として通信端末に送信するステップと、
通信端末が、受信されたメッセージに含まれる表示制御情報に従い、予め記憶されたコンテンツの表示を制御するステップと
を含む前記画像表示制御方法が提供される。
【発明の効果】
【０００７】
本発明によると、既存のネットワーク、サーバーを用いて複数の表示装置による電子看板システム及び画像表示制御方法を実現することができる。本発明によると、複数のＰＣ等を接続するネットワークを構築し、制御装置を設置する必要がなく、導入作業を省力化することが可能な電子看板システム及び画像表示制御方法を提供することができる。
【図面の簡単な説明】
【０００８】
【図１】本実施の形態のシステム構成図。
【図２】本実施の形態におけるＧＰＳ時刻同期の説明概念図。
【図３】本実施の形態における携帯端末とＳＭＳサーバー間のｈｔｔｐ同期メッセージの説明概念図。
【図４】本実施の形態における携帯端末とＳＭＳサーバー間のＳＭＳ同期メッセージの説明概念図(基本動作図)。
【図５】本実施の形態における携帯端末とＳＭＳサーバー間のＳＭＳ同期メッセージの説明概念図(応用動作図) 。
【図６】ＳＭＳサーバー１０４内にある接続先情報テーブル６００の構成図。
【図７】本実施の形態における携帯端末とＳＭＳサーバー間のｈｔｔｐ同期メッセージ及びＳＭＳ同期メッセージのメッセージ構文７００の例(基本動作) 。
【図８】本実施の形態における携帯端末とＳＭＳサーバー間のｈｔｔｐ同期メッセージ及びＳＭＳ同期メッセージのメッセージ構文８００の例(応用動作) 。
【図９】本実施の形態における携帯端末とＳＭＳサーバー間のｈｔｔｐ同期メッセージ及びＳＭＳ同期メッセージのシーケンス図。
【図１０】携帯端末のブロック構成図。
【図１１】本実施形態における処理全体のフローチャート。
【図１２】携帯端末における送信処理概要フローチャート。
【図１３】ＳＭＳサーバーにおける処理概要フローチャート。
【図１４】携帯端末における受信処理概要フローチャート。
【発明を実施するための形態】
【０００９】
図１は、本実施の形態が適用されるデジタルサイネージシステムのシステム構成図である。
このシステムは、コンテンツ情報を表示するための携帯端末（通信端末）１０２と、移動体通信網上に設置されているＳＭＳサーバー１０４と、ＧＰＳ衛星とそのＧＰＳ時刻信号を受信するＧＰＳシステム１０１を備える。携帯端末１０２は、ＳＭＳメッセージを作成及び閲覧出来るソフトウェアが具備されている。更に、携帯端末１０２にはｈｔｔｐプロトコルによって情報を送信及び受信出来るＷｅｂブラウザ機能も具備している。ＳＭＳサーバー１０４は、接続先情報テーブル６００を有する。
例えば、複数の携帯端末１０２は任意の場所に設置される。図１は、例えば「ｏｍｏｒｉ」を識別情報とする場所に設置されている。例えば、各携帯端末が並んで配置されてもよいし、離れていてもよい。
【００１０】
図２は、本実施の形態が適応されているデジタルサイネージシステムでの携帯端末１０２がＧＰＳ同期時刻信号によって時刻同期をとる概念図である。
携帯端末１０２は、電源投入、位置登録、通話開始又はメール送受信等の通信アクセス開始時にＧＰＳからの時刻同期信号２０１を通信網経由で受信する。ＧＰＳ時刻同期信号２０１はＧＰＳ衛星が内蔵している非常に正確な原子時計の情報から生成されたものであり、その精度は米国国防総省により常に監視補正されている。携帯端末１０２では、このＧＰＳ時刻同期信号２０１で得られた時刻情報に基づいて携帯端末１０２の内蔵時計の時刻をＧＰＳ時刻に補正する。
【００１１】
図１０は、携帯端末１０２の機能ブロック構成図である。
携帯端末１０２は、装置全体の制御をとり行う演算装置１００１と、各機能ブロックからの情報の読み込み及び書き出しが行われる記憶装置（表示制御情報記憶部、映像データ記憶部）１００２と、携帯端末の画面や外部表示装置等への画面出力情報を制御する画面出力制御部１００５と、携帯端末１０２のボタンから届けられる入力情報の制御を行う入力制御部１００４と、携帯端末１０２と移動体通信網との通信制御を行う無線入出力部１００３と、各機能ブロックの情報伝送を行う内部通信路１００６を備える。記憶装置１００２の内部には表示制御情報１００７とコンテンツデータ１００８を有する。携帯端末１０２は、時刻同期を行う同期部と、内蔵時計をさら備えてもよいし、これらを演算装置が具備してもよい。なお、表示画面は携帯端末１０２が備えてもよい。
【００１２】
図６は、ＳＭＳサーバー１０４内にある接続先情報テーブル６００の構成図である。
接続先情報テーブル６００は、Ｉｎｄｅｘ６０１と、登録した携帯端末１０２の電話番号を格納するＰｈｏｎｅ＿Ｎｏ６０２と、携帯端末１０２の設置場所情報を格納するＳｈｏｐ＿Ｎａｍｅ（場所情報）６０３と、配置順序（配列情報）を示すＴｅｒｍ＿Ｎｏ６０４と、将来の使途考慮した情報を格納する予備６０５の各領域を有するデータテーブルである。なお、予備６０５は省略してもよい。Ｉｎｄｅｘ６０１は、例えば、シーケンシャルな番号、文字など接続先情報テーブル６００のエントリ（Ｐｈｏｎｅ＿Ｎｏ６０２とＳｈｏｐ＿Ｎａｍｅ６０３とＴｅｒｍ＿Ｎｏ６０４と予備６０５の組）に対する識別情報である。なお、Ｉｎｄｅｘ６０１は、省略してもよい。Ｓｈｏｐ＿Ｎａｍｅ６０３とＴｅｒｍ＿Ｎｏ６０４により、携帯端末１０２が特定される。例えば、Ｓｈｏｐ＿Ｎａｍｅ６０３は、携帯端末１０２が設置される店舗、施設、エリア等を示し、Ｔｅｒｍ＿Ｎｏ６０４は、携帯端末１０２が予め定められた配列に並べられたときの配置位置、配列位置に対応する番号を示す。各情報は、携帯端末１０２の配置に従い予め記憶されることができる。
【００１３】
図１１に、本実施の形態における処理の全体フローチャートを示す。
本実施の形態の処理は、例えば、携帯端末１０２における制御メッセージの作成及び送信、ＳＭＳサーバー１０４における制御メッセージの受信、内容解析、制御メッセージの作成、携帯端末１０２におけるＳＭＳサーバー１０４からの制御メッセージの受信、内容解析、表示制御等の処理を含む。
以下に、図１１のフローチャートに従って処理全体の概要を示す。なお、各ステップの詳細については後述する。
携帯端末１０２（例えば演算装置１００１、以下同じ）は、制御したい情報を制御メッセージ(例えば図７の７００若しくは図８の８００、以下７００に統一)に変換し（１１０１）、その後ＳＭＳサーバーに送信するか否かを判断する（１１０２）。この携帯端末は、複数の携帯端末１０２のいずれでもよい。ＳＭＳサーバーへの送信は、例えば、携帯端末１０２によりｈｔｔｐプロトコルメッセージによってＳＭＳサーバー１０４に送信される(図３、図９の９０４)。ＳＭＳサーバー１０４では、携帯端末１０２より送信されてきた制御メッセージを受信し、制御メッセージ７００の記載内容の解析を行う（１１０３）。ＳＭＳサーバー１０４では、制御メッセージ７００の記載内容が正しい（エラーなし）と判断した場合（１１０４）、制御メッセージ７００をＳＭＳメッセージに変換する(１１０５)。制御メッセージ７００を変換後、制御メッセージ７００に記載されている制御対象の携帯端末１０２と内蔵している接続先情報テーブル６００に記載されている携帯端末１０２を照合して、対応する電話番号に従い該当携帯端末１０２へＳＭＳメッセージとして送信する（１１０６、図４、図９の９０６）。一方、ステップ１１０４で制御メッセージ７００の記載内容が正しく無い（エラーあり）と判断した場合、記載内容に不備がある内容の制御メッセージ７００を作成し、ＳＭＳメッセージに変換する(１１１１)。変換後、制御メッセージ７００を受信した携帯端末１０２へＳＭＳメッセージとして送信する（１１１２）。なお、各端末サーバーは、メッセージの受信に対し、適宜Ａｃｋを送信する（図９の９０５、９０７、９０８）。
【００１４】
次に、ＳＭＳメッセージを受信した一台若しくは複数の携帯端末１０２は、ＳＭＳメッセージを制御メッセージ７００の形式に変換し、制御内容の解析を行う（１１０７）。制御メッセージ７００の記載内容が正しい（エラーなし）と判断した場合（１１０８）、携帯端末１０２は、制御メッセージ７００内の制御情報を適宜記憶し、その制御情報に基づき表示制御、例えば、ある時刻になったら表示を開始する、ある時刻になったら表示を停止する等制御を開始する(１１０９)。一方、ステップ１１０８で制御メッセージ７００の記載内容が正しく無い（エラーあり）と判断した場合、受信した制御メッセージ７００を破棄する（１１１３）。この時、携帯端末１０２では過去に受信した若しくは稼動当初から保持していた表示制御情報に基づいて表示制御を継続する。
携帯端末１０２は、上述の処理を継続するか判断し（１１１０）、継続と判断した場合、引き続きステップ１１０１の処理の待機に入る。一方、継続しないと判断した場合、全処理を終了する。
【００１５】
図１２に、携帯端末１０２における制御メッセージ送信処理のフローチャートを示す。
本フローチャートは、図１１の処理１１０１、１１０２に対応する。まず制御メッセージの作成（１２０１）及び制御メッセージの送信（１２０２）についての処理を詳細に説明する。
携帯端末１０２は、制御したい情報、例えば、ある時刻になったらコンテンツの表示を開始する、ある時刻になったら表示を停止する、ある地域（場所）の携帯端末１０２だけ制御したい、更にはある地域の特定の携帯端末１０２のみを制御したい等の制御情報を入力する。
より具体的には、例えば、携帯端末１０２は、制御する端末を特定するための端末特定情報（図７：Ｓｈｏｐ＿Ｓｉｔｅ）と、表示画面を制御するためのオペレーション情報（図７：Ｏｐ）とを入力する。端末特定情報は、場所情報（Ｓｈｏｐ＿Ｎａｍｅ）と、配列情報（Ｔｅｒｍ＿Ｎｏ）とを含むことができる。また、オペレーション情報は、開始時刻（ｓｔ）と終了時刻（ｓｐ）を含むことができる。なお、これらの情報は、携帯端末１０２のボタン等の入力部から入力してもよいし、携帯端末１０２に接続される外部装置から入力してもよいし、これらの情報が予め記憶された記憶媒体が携帯端末１０２に接続され、読み込むようにしてもよい。
【００１６】
携帯端末１０２は、入力された制御情報から制御メッセージを作成するが、その際に制御メッセージ自体に例えば、ｅＸｔｅｎｓｉｂｌｅ  Ｍａｒｋｕｐ  Ｌａｎｇｕａｇｅ（以下、ＸＭＬと略）採用する。ＸＭＬは、１８８６年ＩＳＯで標準化されたＳＧＭＬ(Ｓｔａｎｄａｒｄ  Ｇｅｎｅｒａｌｉｚｅｄ  Ｍａｒｋｕｐ  Ｌａｎｇｕａｇｅ)をインターネットで活用しやすくするために、１９９８年２月にその基本仕様ＸＭＬ１．０がＷ３Ｃ(Ｗｏｒｌｄ  Ｗｉｄｅ  Ｗｅｂ  Ｃｏｎｓｏｒｔｉｕｍ)にて策定された。Ｗｅｂページ作成言語であるＨＴＭＬ(ＨｙｐｅｒＴｅｘｔ  Ｍａｒｋｕｐ  Ｌａｎｇｕａｇｅ)は、タグが固定であり表示に特化した構造となっており、アプリケーションからそのタグ情報を基にプログラム処理したいという要件に対応できない問題がある。それ対してＸＭＬでは利用者が自由にタグを定義でき、文書中の文字列に意味付けができる言語構造を持っており、プログラムで自在にＸＭＬデータを情報処理できるというメリットがある。さらに、ＳＧＭＬの持つ複雑な印刷系のオプションなどを省略して言語仕様を規定しており、理解しやすさ・使いやすさを向上させている点にもメリットがある。
携帯端末１０２で生成されたＸＭＬメッセージの例が図７（７００）及び図８（８００）である。本実施の形態では、ＳＭＳサーバー１０４内にある接続先情報テーブル６００の各カラムと同じ意味付けを持つタグ情報（７０１〜７０４、８０１〜８０４）としているが、特に接続先情報テーブル６００の各カラム情報と一致させる必要は無い。次に携帯端末１０２は、制御メッセージ７００の内容解析を行う（１２０２）。本実施の形態ではＸＭＬの構文規則に則り各タグ情報の記載内容を確認する。例えば、構文上のエラーや時刻情報が現実的でない、過去であるなどのエラーがないか確認する。次に携帯端末１０２は、制御メッセージ７００に誤りがない場合（１２０３）、ｈｔｔｐプロトコルメッセージ本文として制御メッセージ７００を格納してＳＭＳサーバー１０４にｈｔｔｐプロトコルメッセージとして送信する（１２０４）。一方、携帯端末１０２は、制御メッセージ７００に誤りがあった場合（１２０３）、エラーメッセージ（１２０６）を作成する。最後に、携帯端末１０２は、上述の処理を継続するか判断し（１２０５）、継続と判断した場合、引き続きステップ１２０１の処理の待機に入る。一方、継続しないと判断した場合、全処理を終了する。なお、継続するかしないかは、入力部から指示を入力するなど適宜定めることができる。
【００１７】
図１３に、ＳＭＳサーバー１０４における制御メッセージ処理のフローチャートを示す。
本フローチャートは、図１１の処理１１０３〜１１０６、１１１１、１１１２に対応する。まずＳＭＳサーバー１０４における制御メッセージ受信処理（１３０１）についての処理から述べる。
ＳＭＳサーバー１０４は、携帯端末１０２より送信されてきたｈｔｔｐプロトコルメッセージを受信すると（１３０１）、そのｈｔｔｐプロトコルメッセージ本文に格納されている内容が制御メッセージ７００かどうか確認をする（１３０２）。例えば、ｈｔｔｐプロトコルメッセージ本文に、制御メッセージであることを示す識別子を含み、これを検出することで制御メッセージであることを確認する。次に制御メッセージ７００である場合、ＳＭＳサーバー１０４は、制御メッセージ７００の内容解析を行う（１３０３）。本実施の形態ではＸＭＬの構文規則に則り各タグ情報の記載内容を確認する。次にＳＭＳサーバー１０４は、制御メッセージ７００に誤りがない場合（１３０４）、ＳＭＳメッセージ本文として制御メッセージ７００を格納する（１３０５）。次にＳＭＳサーバー１０４は上述の制御メッセージ７００に記載している制御対象である１台若しくは複数の携帯端末１０２内へ制御メッセージ７００を送信する為、ＳＭＳサーバー内に格納している接続先情報テーブル６００から送信先情報を選出し、送信先情報に従いＳＭＳメッセージを携帯端末１０２に送信する（１３０６）。具体的には、ＳＭＳサーバー１０４は、制御メッセージ７００若しくは８００に記載されているタグ情報(７０１、７０２、８０１、８０２)から設置場所情報及び配列順序情報を抽出し、抽出した各情報をキーとして接続先情報テーブル６００の各カラム(６０３、６０４)を検索して、合致したひとつ又は複数のカラムの電話番号（６０２）を取得することによって送信先を選出する。ＳＭＳサーバー１０４は、取得された電話番号を宛先としてＳＭＳメッセージを送信する。なお、上述のキーに合致するカラムが複数ある場合には、取得される複数の電話番号を宛先として、それぞれＳＭＳメッセージを送信する。
一方、制御メッセージ７００に誤りがあった場合（１２０３）、エラーメッセージ（１３０８）を作成する。次に送信してきた携帯端末１０２に対してエラーメッセージをＳＭＳメッセージとして送信する（１３０９）。最後にＳＭＳサーバー１０４は、上述の処理を継続するか判断し（１３０７）、継続と判断した場合、引き続きステップ１３０１の処理の待機に入る。一方、継続しないと判断した場合、全処理を終了する。
【００１８】
図１４に、携帯端末１０２における制御メッセージ受信処理のフローチャートを示す。
本フローチャートは、図１１の処理１１０７〜１１０９、１１１３に対応する。このフローチャートは、ＳＭＳサーバー１０４からＳＭＳメッセージを受信したひとつ又は複数の携帯端末でそれぞれ実行される。まず携帯端末１０２における制御メッセージ受信処理（１４０１）についての処理から述べる。
携帯端末１０２は、ＳＭＳサーバー１０４より送信されてきたＳＭＳメッセージを受信すると、そのＳＭＳメッセージ本文に格納されている内容が制御メッセージ７００かどうか確認をする（１４０２）。一例として、受信したＳＭＳメッセージの本文の数行を参照して、そのパターンから制御メッセージであることを確認する。次に制御メッセージ７００である場合、携帯端末１０２は、制御メッセージ７００の内容解析を行う（１４０３）。本実施の形態ではＸＭＬの構文規則に則り各タグ情報の記載内容を確認する。次に携帯端末１０２は、制御メッセージ７００に誤りがない場合（１４０４）、制御メッセージ内の制御情報に基づいて格納している制御情報の更新を行い、かつ、更新された制御情報に基づいて表示制御を行う（１４０５）。具体的には制御メッセージ７００若しくは８００に記載されているタグ情報(７０３、７０４)に記載されている制御情報に基づいて、例えば、ある時刻になったら表示を開始する、ある時刻になったら表示を停止する等制御情報を更新する。次に携帯端末１０２は制御情報を正常に受信し、かつ、更新したという意味でＡＣＫメッセージ作成し（１４０６）、ＳＭＳサーバー１０４にＳＭＳメッセージとして送信する(１４０７)。
一方、制御メッセージ７００でない場合（１４０２、Ｎｏ）、携帯端末１０２は通常のＳＭＳメッセージと認識して制御情報の更新に関する処理は行わない。
また、制御メッセージ７００に誤りがあった場合（１４０４、Ｎｏ）、携帯端末１０２は制御メッセージの記載内容に誤りがある事を示すエラーメッセージを作成し（１４０９）、正常に受信したという意味でＡＣＫメッセージ作成し（１４１０）、ＳＭＳメッセージとして送信する（１４１１）。最後に携帯端末１０２は、上述の処理を継続するか判断し（１４０８）、継続と判断した場合、引き続きステップ１４０１の処理の待機に入る。一方、継続しないと判断した場合、全処理を終了する。
【００１９】
図９に上述の一連のフローチャートに関する携帯端末１０２、ＳＭＳサーバー１０４の間のメッセージのやり取りを示す。ここに記載されているプロトコルは移動体通信網で使用されているｈｔｔｐプロトコルとＳＭＳメッセージプロトコルであり、既知なプロトコルであるため、本実施の形態では詳細については省略する。
上記実施の形態の処理を携帯端末１０２とＳＭＳサーバー１０４が定期的、かつ、周期的に行う事で１台乃至は複数の携帯端末１０２を利用した多用な表示効果を制御出来、かつ、高精度な同期表示を実現するデジタルサイネージを始めとする映像配信システムを構築する事が出来る。更に本発明を実施する事で通常のデジタルサイネージを始めとする映像配信システムを構築する際に必須のネットワーク設置工事を始めとする、各種構築作業の省力化を図る事が出来、かつ、移動体通信網が使用出来る地域であれば開設が容易という利便性も高くなる。
更に本発明ではＸＭＬの特徴である、利用者自身が自由にタグを定義出来る事を利用し、図７（７００）及び図８（８００）で定義した制御情報以外に新たな制御の為にタグを定義することや、ＳＭＳメッセージを送信する複数の携帯端末１０２毎の制御情報を変更する事によって様々な画面表示形態を容易に実現する事が可能となる。
例えば、制御コード７０３、７０４とは異なる新たな制御コード、例えば、画像を点滅される制御するための制御コードを設ける事で、携帯端末１０２では単に表示するだけでなく、新たに画像を点滅される事が容易に設定可能となる。
【００２０】
更には図４の複数の携帯端末１０２にＳＭＳサーバー１０４から送信する制御メッセージ７００の中の制御コード７０１には拠点情報、制御コード７０２には端末番号、制御コード７０３には画像表示開始時間、制御コード７０４には画像表示終了開始時間が記載されている。例えば、図４にあるような同一拠点にある携帯端末１０２の左から順番に制御コード７０２に１から昇べき順に値が設定されているとすると、各々の携帯端末１０２の制御コード７０３の画像表示開始時間と制御コード７０４の画像表示終了開始時間の数値を携帯端末１０２の左から順番にある一定間隔の数値を設定させる事で静止画像があたかも左から右へ流れていくような画像効果を得る事が可能となる。
前述と同様に制御コードを新たに定義する事で様々な画像表示方法を実現する事が可能となる。
なお、本発明ではＳＭＳサーバー１０４を利用しているが、現在の移動体通信網で利用されているＭｕｌｔｉｍｅｄｉａ  Ｍｅｓｓａｇｉｎｇ  Ｓｅｒｖｉｃｅサーバー(マルチメディアメッセージングサービスサーバ、以下、ＭＭＳサーバーと略)を利用する事も可能である。ＭＭＳサーバーは、画像、音、ビデオ、リッチテキストを含んだ内容をメール形式で送信出来るサーバーであるが、携帯端末１０２との送受信に関しては基本的にＳＭＳサーバーと同様の動作を行うため、本実施の形態で説明した動作をする事が出来る。なお、ＭＭＳサーバーの接続先情報テーブルには、電話番号に代わりアドレス情報、端末識別情報などを記憶することができる。
【産業上の利用可能性】
【００２１】
本発明は、例えば、デジタルサイネージを始めとする、映像配信システムに関する分野において利用可能である。
【符号の説明】
【００２２】
１０１  ＧＰＳ衛星
１０２  携帯端末
１０３  ＳＭＳ制御メッセージ
１０４  ＳＭＳサーバー
１０５  制御メッセージ
２０１  ＧＰＳ時刻同期信号
６００  接続先情報テーブル
６０１  インデックス
６０２  電話番号カラム
６０３  携帯端末設置場所カラム
６０４  携帯端末設置位置カラム
６０５  予備情報カラム
７００  接続先情報テーブル(基本動作)
７０１  タグ情報（携帯端末設置場所）
７０２  タグ情報（携帯端末設置位置）
７０３  タグ情報（制御情報１）
７０４  タグ情報（制御情報２）
８００  接続先情報テーブル(応用動作)
８０１  タグ情報（携帯端末設置場所）
８０２  タグ情報（携帯端末設置位置）
８０３  タグ情報（制御情報１）
８０４  タグ情報（制御情報２）
【図１】
2011101150.tif 000003
【図２】
2011101150.tif 000004
【図３】
2011101150.tif 000005
【図４】
2011101150.tif 000006
【図５】
2011101150.tif 000007
【図６】
2011101150.tif 000008
【図７】
2011101150.tif 000009
【図８】
2011101150.tif 000010
【図９】
2011101150.tif 000011
【図１０】
2011101150.tif 000012
【図１１】
2011101150.tif 000013
【図１２】
2011101150.tif 000014
【図１３】
2011101150.tif 000015
【図１４】
2011101150.tif 000016